(57)【特許請求の範囲】
【請求項１】
ディジタル放送を受信するディジタルチューナとアナログ放送を受信するアナログチューナの両方を備えたディジタル・アナログ放送受信装置において、第１ＣＰＵ及び第２ＣＰＵを備え、第１ＣＰＵはアナログチューナによる有局判断処理を担当し、第２ＣＰＵはディジタルチューナによる有局判断処理を担当し、アナログチューナによる有局判断で無局と判断された場合に第１ＣＰＵは同チャンネルについての有局判断処理の開始を第２ＣＰＵに指示し、この指示によってディジタルチューナによる有局判断処理が開始されるように構成したことを特徴とするディジタル・アナログ放送受信装置。
【請求項２】
請求項１に記載のディジタル・アナログ放送受信装置において、アナログチューナによる有局判断で有局と判断され、且つ利用者によって記憶指示キーが操作された場合には、第１ＣＰＵはその時点のポジション番号に対応させて有局のチューニングデータを第１ＣＰＵの制御下にあるメモリに記憶すると共に、前記ポジション番号にはアナログ放送が割り当てられたことを第２ＣＰＵに通知し、第２ＣＰＵはその制御下にあるメモリに前記ポジション番号にはアナログ放送が割り当てられたことを記憶するように構成されたことを特徴とするディジタル・アナログ放送受信装置。
【請求項３】
請求項１又は請求項２に記載のディジタル・アナログ放送受信装置において、ディジタルチューナによる有局判断処理で無局と判断された場合に、そのことを第２ＣＰＵが第１ＣＰＵに通知し、この通知を受けた第１ＣＰＵは次のチャンネルについての有局判断を開始するように構成されたことを特徴とするディジタル・アナログ放送受信装置。
【請求項４】
請求項１乃至請求項３のいずれかに記載のディジタル・アナログ放送受信装置において、ディジタルチューナによる有局判断処理で有局と判断され、且つ利用者によって記憶指示キーが操作された場合には、第２ＣＰＵはその時点のポジション番号に対応させて有局のチューニングデータを第２ＣＰＵの制御下にあるメモリに記憶すると共に、前記ポジション番号にはディジタル放送が割り当てられたことを第１ＣＰＵに通知し、第１ＣＰＵはその制御下にあるメモリに前記ポジション番号にはディジタル放送が割り当てられたことを記憶するように構成されたことを特徴とするディジタル・アナログ放送受信装置。
【請求項５】
請求項４に記載のディジタル・アナログ放送受信装置において、ディジタルチューナによる有局判断処理で有局と判断され、ディジタル放送の映像表示状態で利用者によって所定キーが操作された場合は、その時点の映像表示に代えて、同チャンネル内に存在する他の番組をデマルチプレクス処理によって取り出して映像表示するように構成されたことを特徴とするディジタル・アナログ放送受信装置。
【請求項６】
請求項５に記載のディジタル・アナログ放送受信装置において、所定キーが連続して操作されたことで同チャンネル内に存在する他の番組の全ての表示が順次行われた後、更に所定キーが操作された場合には、第２ＣＰＵは第１ＣＰＵにディジタル選局状態が終了した旨を通知すると共に次のチャンネルについての有局判断を開始するように指示し、この指示によってアナログチューナによる有局判断処理が開始されるように構成したことを特徴とするディジタル・アナログ放送受信装置。
【発明の詳細な説明】
【０００１】
【産業上の利用分野】
この発明は、ディジタル放送とアナログ放送の両方を受信することができるディジタル・アナログ放送受信装置に関する。
【０００２】
【従来の技術】
衛星や地上波を用いたディジタル放送を受信するディジタル放送受信装置は、専用のアンテナや地上波用アンテナを通して受け取った複数の放送波のなかから任意の放送波をディジタルチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
そして、このようなディジタルテレビ放送を受信するディジタルチューナと共に、従来からのアナログ放送を受信するアナログチューナも備えたディジタル・アナログ放送受信装置を構成することができる。
【０００４】
【発明が解決しようとする課題】
ところで、従来より、任意のポジション番号（チャンネルボタン番号）に対応させて所望の放送チャンネルの番組を画面表示させる処理（チャンネル設定）が可能である。この処理においては、従来のアナログチューナのみ備える構成であれば、ＣＳ（チャンネルセレクト）表示キーの操作によって画面にポジション番号を表示し、ポジションアップキーの操作によって選局チャンネルを順にアップしていき、所望の放送チャンネルの映像が表示されたときに、視聴者がメモリキーを操作することで、画面表示のポジション番号に所望の放送チャンネルを割り当てることができる。しかし、アナログチューナでは、或るチャンネルにディジタル放送が存在していても、それを検知することはできない。従って、アナログチューナとディジタルチューナの両方を備える場合、アナログチューナを有効とした状態でのチャンネル設定とディジタルチューナを有効とした状態でのチャンネル設定を別々に行うことが必要になってしまう。
【０００５】
この発明は、上記の事情に鑑み、チャンネル設定において選局チャンネルを順に変更していく場合に、選局チャンネルがアナログ放送であってもディジタル放送であっても自動的に判断してチャンネル設定を行っていくことができるディジタル・アナログ放送受信装置を提供することを目的とする。
【０００６】
【課題を解決するための手段】
この発明のディジタル・アナログ放送受信装置は、上記の課題を解決するために、ディジタル放送を受信するディジタルチューナとアナログ放送を受信するアナログチューナの両方を備えたディジタル・アナログ放送受信装置において、第１ＣＰＵ及び第２ＣＰＵを備え、第１ＣＰＵはアナログチューナによる有局判断処理を担当し、第２ＣＰＵはディジタルチューナによる有局判断処理を担当し、アナログチューナによる有局判断で無局と判断された場合に第１ＣＰＵは同チャンネルについての有局判断処理の開始を第２ＣＰＵに指示し、この指示によってディジタルチューナによる有局判断処理が開始されるように構成したことを特徴とする。
【０００７】
上記構成において、或る選局チャンネルがディジタル放送である場合、アナログチューナによる有局判断では無局と判断されることになるが、この場合に第１ＣＰＵは同チャンネルについての有局判断処理の開始を第２ＣＰＵに指示し、この指示によってディジタルチューナによる有局判断処理が開始されるので、有局との判断結果が得られることになる。すなわち、選局チャンネルがアナログ放送であってもディジタル放送であっても自動的に判断してチャンネル設定を行っていくことができる。
【０００８】
アナログチューナによる有局判断で有局と判断され、且つ利用者によって記憶指示キーが操作された場合には、第１ＣＰＵはその時点のポジション番号に対応させて有局のチューニングデータを第１ＣＰＵの制御下にあるメモリに記憶すると共に、前記ポジション番号にはアナログ放送が割り当てられたことを第２ＣＰＵに通知し、第２ＣＰＵはその制御下にあるメモリに前記ポジション番号にはアナログ放送が割り当てられたことを記憶するのがよい。
【０００９】
ディジタルチューナによる有局判断処理で無局と判断された場合に、そのことを第２ＣＰＵが第１ＣＰＵに通知し、この通知を受けた第１ＣＰＵは次のチャンネルについての有局判断を開始するのがよい。
【００１０】
ディジタルチューナによる有局判断処理で有局と判断され、且つ利用者によって記憶指示キーが操作された場合には、第２ＣＰＵはその時点のポジション番号に対応させて有局のチューニングデータを第２ＣＰＵの制御下にあるメモリに記憶すると共に、前記ポジション番号にはディジタル放送が割り当てられたことを第１ＣＰＵに通知し、第１ＣＰＵはその制御下にあるメモリに前記ポジション番号にはディジタル放送が割り当てられたことを記憶するのがよい。
【００１１】
ディジタルチューナによる有局判断処理で有局と判断され、ディジタル放送の映像表示状態で利用者によって所定キーが操作された場合は、その時点の映像表示に代えて、同チャンネル内に存在する他の番組をデマルチプレクス処理によって取り出して映像表示するのがよい。
【００１２】
所定キーが連続して操作されたことで同チャンネル内に存在する他の番組の全ての表示が順次行われた後、更に所定キーが操作された場合には、第２ＣＰＵは第１ＣＰＵにディジタル選局状態が終了した旨を通知すると共に次のチャンネルについての有局判断を開始するように指示し、この指示によってアナログチューナによる有局判断処理が開始されるのがよい。
【００１３】
【発明の実施の形態】
以下、この発明の実施形態を図１乃至図６に基づいて説明する。
【００１４】
図１は地上波ディジタル放送と地上波アナログ放送をユーザーが任意に視聴できる欧州対応の放送受信装置２０を示したブロック図である。この放送受信装置２０は、アナログ放送を受信するためのアナログモジュール１８及びディジタル放送を受信するためのディジタルモジュール１９を備える。
【００１５】
地上波アンテナ１は、地上放送波を受信し、受信信号をアナログチューナ２およびディジタルチューナ３に与える。各チューナは、選局処理回路やミキサ（混合器）などを備えて成る。ミキサは希望チャンネルの信号と局部発振信号とを混合して中間周波数信号を生成する。局部発振信号を生成する回路は例えば印加電圧によって容量が変化する可変容量ダイオード等を備えて成り、ミキサから一定の中間周波数の信号が出力されるように、希望チャンネルの信号に対応させて変化させた局部発振信号を生成する。選局処理回路は、各チャンネルに対応した印加電圧（同調電圧）のデータを受け取り、電圧値に変換して可変容量ダイオードに与える。
【００１６】
また、アナログモジュール１８は、文字情報を多重したテレビジョン信号から文字情報を抜き出すテレテキストデコーダの機能や、アナログ用の図示しないＯＳＤ（オンスクリーンディスプレイ）回路を備えており、アナログ側ＣＰＵ６から出力指示された文字情報に基づくビットマップデータを表示映像に組み込めるようになっている。
【００１７】
ディジタルモジュール１９には、図示しないデマルチプレクサ（ＤＥＭＵＸ）やＡＶデコーダなどが備えられている。デマルチプレクサは、ディジタルチューナ２から出力されるトランスポート・ストリームを、ＭＰＥＧ（Ｍｏｖｉｎｇ  Ｐｉｃｔｕｒｅ  Ｅｘｐｅｒｔｓ  Ｇｒｏｕｐ）のビデオトランスポートパケット、オーディオトランスポートパケット、及びＳＩ（Ｓｅｒｖｉｃｅ  Ｉｎｆｏｒｍａｔｉｏｎ）などに分離する。デマルチプレクサは、ビデオトランスポートパケットとオーディオトランスポートパケットをＡＶデコーダに供給し、ＳＩに含まれるサービス情報をディジタル側ＣＰＵ９に供給する。ＡＶデコーダはビデオデコーダやオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成されたデータは図示しない映像・音声処理回路に出力される。また、ディジタルモジュール１９には、図示しないＯＳＤ回路が設けられており、ディジタル側ＣＰＵ９から出力指示された文字情報に基づくビットマップデータを表示映像に組み込むようになっている。
【００１８】
受像管１１は信号切り替えスイッチ１０を経て供給されるアナログ放送の受信映像或いはディジタル放送の受信映像の表示を行う。信号切り替えスイッチ１０の操作はアナログ側ＣＰＵ６によってなされ、アナログチューナ２による選局状態においては信号切り替えスイッチ１０をアナログ側に切り替え、ディジタルチューナ３による選局状態においては信号切り替えスイッチ１０をディジタル側に切り替えるようになっている。
【００１９】
アナログ側ＣＰＵ６は、アナログチューナ２に対する選局制御、アナログ側メモリ（ＥＥＰＲＯＭ等）７へのチューニング情報等の書込／読出の制御、リモコン送信機４やキー入力部５からの指示内容に基づく各種の処理を行う。指示内容がディジタル放送に関するものである場合、アナログ側ＣＰＵ６がディジタル側ＣＰＵ９に指示内容を伝える。
【００２０】
ディジタル側ＣＰＵ９は、ディジタルチューナ３に対する選局制御、ディジタル側メモリ（ＥＥＰＲＯＭ等）８へのチューニング情報等の書込／読出の制御、デマルチプレクサやＡＶデコーダに対する制御など、ディジタル放送に関する制御を行うようになっている。そして、ディジタル側ＣＰＵ９とアナログ側ＣＰＵ６との間で各種情報のやり取りを行うようになっている。
【００２１】
リモコン送信機４には、ＣＳ表示キー（チャンネルセレクト表示キー）、ポジションアップキー、メモリキーなどが設けられている。
【００２２】
次に、ディジタル・アナログ放送受信装置２０におけるチャンネル設定処理について説明していく。なお、図２（ａ）に示すごとく、ＵＨＦ２９局とＵＨＦ３２局とにアナログ放送が存在する場合と、同図（ｂ）に示すごとく、ＵＨＦ２９局とＵＨＦ３２局とにアナログ放送が存在し、ＵＨＦ３１局にディジタル放送が存在する場合とを想定する。そして、ポジション番号（チャンネルボタン番号）４にはＵＨＦ２９局の放送を受信するように設定されていた場合を想定する。
【００２３】
まず、図２（ａ）のごとく放送が割り当てられている場合において、放送受信装置２０は、図３に示すごとく、ポジション番号４が指定された場合はＵＨＦ２９局の放送を受信するよう選局動作を行う。そして、ユーザーによってＣＳ表示キーが操作されると、選局モード（チャンネル設定モード）に移行することになる。このとき、アナログ側ＣＰＵ６の処理により、画面には図４（ａ）に示すような表示と共に受信映像が表示される。この状態でポジションアップキーが操作されると、アナログ側ＣＰＵ６はＵＨＦ３０局を選局する処理を行う。このとき、画面には図４（ｂ）に示すような表示がなされる。
【００２４】
ＵＨＦ３０局には放送がないので、アナログモジュール１８側では無局と判断することになる。この場合、アナログ側ＣＰＵ６は、ディジタル側ＣＰＵ９に対してＵＨＦ３０局の選局を行うよう指示する。ディジタル側ＣＰＵ９は、ＵＨＦ３０局を選局する処理を行うが、ＵＨＦ３０局には放送がないのでディジタルモジュール１９側では無局と判断し、ディジタル側ＣＰＵ９は無局という選局結果をアナログ側ＣＰＵ６に返す。この無局という選局結果を得てアナログ側ＣＰＵ６は１局上のＵＨＦ３１局を選局する処理を行う。
【００２５】
ＵＨＦ３１局には放送がないので、アナログモジュール１８側では無局と判断することになる。この場合、アナログ側ＣＰＵ６は、ディジタル側ＣＰＵ９に対してＵＨＦ３１局の選局を行うよう指示する。ディジタル側ＣＰＵ９は、ＵＨＦ３１局を選局する処理を行うが、ＵＨＦ３１局には放送がないのでディジタルモジュール１９側では無局と判断し、ディジタル側ＣＰＵ９は無局という選局結果をアナログ側ＣＰＵ６に返す。この無局という選局結果を得てアナログ側ＣＰＵ６は１局上のＵＨＦ３２局を選局する処理を行う。
【００２６】
ＵＨＦ３２局にはアナログ放送が存在するので、アナログモジュール１８側では有局と判断し、選局動作を停止する。このとき、画面には図４（ｃ）に示すような表示と共に受信映像が表示される。ユーザーは、ＵＨＦ３２局の放送をポジション４に設定したいのであれば、メモリキーを操作する。この操作が行われた場合は、アナログ側ＣＰＵ６は、ＵＨＦ３２局のチューニングデータをポジション４に対応させてアナログ側メモリ７に格納する。そして、アナログ側ＣＰＵ６は、ポジション４にＵＨＦ３２局を対応させたことをディジタル側ＣＰＵ９に通知する。ディジタル側ＣＰＵ９はポジション４がアナログ放送であることをディジタル側メモリ８に記憶させる。
【００２７】
次に、図２（ｂ）のごとく放送が割り当てられている場合、放送受信装置２０は、図５に示すごとく、ポジション番号４が指定された場合はＵＨＦ２９局の放送を受信するよう選局動作を行う。そして、ユーザーによってＣＳ表示キーが操作されると、選局モードに移行することになる。このとき、アナログ側ＣＰＵ６の処理により、画面には図４（ａ）に示すような表示と共に受信映像が表示される。この状態でポジションアップキーが操作されると、アナログ側ＣＰＵ６はＵＨＦ３０局を選局する処理を行う。このとき、画面には図４（ｂ）に示すような表示がなされる。
【００２８】
ＵＨＦ３０局には放送がないので、アナログモジュール１８側では無局と判断することになる。この場合、アナログ側ＣＰＵ６は、ディジタル側ＣＰＵ９に対してＵＨＦ３０局の選局を行うよう指示する。ディジタル側ＣＰＵ９は、ＵＨＦ３０局を選局する処理を行うが、ＵＨＦ３０局には放送がないのでディジタルモジュール１９側では無局と判断し、ディジタル側ＣＰＵ９は無局という選局結果をアナログ側ＣＰＵ６に返す。この無局という選局結果を得てアナログ側ＣＰＵ６は１局上のＵＨＦ３１局を選局する処理を行う。
【００２９】
ＵＨＦ３１局にはディジタル放送が存在しているが、アナログ放送信号であれば検出できる水平同期信号をディジタル放送では検出できないため、アナログモジュール１８側では無局と判断することになる。この場合、アナログ側ＣＰＵ６は、ディジタル側ＣＰＵ９に対してＵＨＦ３１局の選局を行うよう指示する。ディジタル側ＣＰＵ９は、ＵＨＦ３１局を選局する処理を行う。ＵＨＦ３１局にはディジタル放送が存在するのでディジタルモジュール１９側では有局と判断し、ディジタル側ＣＰＵ９は有局という選局結果をアナログ側ＣＰＵ６に返す。そして、ディジタル側ＣＰＵ９は、図６（ａ）のディジタル番組例に示すように、ＴＳ（トランスポートストリーム）１の番組である「ＢＢＣ  ｏｎｅ」を映し出すとともに、マルチプレク送信されている他の番組の構成を表示する。
【００３０】
この状態でメモリキーが操作されると、アナログ側ＣＰＵ６はディジタル側メモリ９にメモリキーが操作されたことを通知する。ディジタル側ＣＰＵ９はＵＨＦ３１局のチューニングデータをポジション４に対応させてディジタル側メモリ８に格納する。そして、ディジタル側ＣＰＵ９は、ポジション４にＵＨＦ３１局を対応させたことをアナログ側ＣＰＵ６に通知する。アナログ側ＣＰＵ６はポジション４がディジタル放送であることをアナログ側メモリ７に記憶し、その旨をディジタル側ＣＰＵ９に通知する。
【００３１】
図６（ａ）の画面が表示されている状態で、ポジションアップキーが操作された場合、アナログ側ＣＰＵ６はポジションアップキーが操作されたことをディジタル側ＣＰＵ９に通知する。この通知を受けたディジタル側ＣＰＵ９は、図６（ｂ）に示すように、カーソルを「ＢＢＣ  ｔｗｏ」の表記部に移動させるとともに、「ＢＢＣ  ｔｗｏ」の番組を映し出す。さらにポジションアップキーが操作されたならば、アナログ側ＣＰＵ６はポジションアップキーが操作されたことをディジタル側ＣＰＵ９に通知し、ディジタル側ＣＰＵ９はカーソルを上に移動し、このカーソルで選択されている番組を映し出すことになる。
【００３２】
図６（ｃ）に示すごとく、最上にカーソルが位置している場合に、さらにポジションアップキーが操作されると、ディジタル側ＣＰＵ９はディジタル放送選局モードから抜け、アナログ側ＣＰＵ６に対して、ディジタル側の選局動作が終了した旨を通知し、ＵＨＦ３２局を選局するよう指示する。ＵＨＦ３２局にはアナログ放送が存在するので、アナログモジュール１８側では有局と判断し、ＵＨＦ３２局のアナログ放送を映し出す。
【００３３】
【発明の効果】
以上説明したように、この発明によれば、或る選局チャンネルがディジタル放送である場合、アナログチューナによる有局判断では無局と判断されることになるが、この場合に第１ＣＰＵは同チャンネルについての有局判断処理の開始を第２ＣＰＵに指示し、この指示によってディジタルチューナによる有局判断処理が開始されるので、有局との判断結果が得られることになる。すなわち、選局チャンネルがアナログ放送であってもディジタル放送であっても自動的に判断してチャンネル設定を行っていくことができるという効果を奏する。
【図面の簡単な説明】
【図１】この発明の実施形態のディジタル・アナログ放送受信装置を示したブロック図である。
【図２】同図（ａ）及び（ｂ）はそれぞれチャンネルの放送有無の想定例を示した説明図である。
【図３】図２（ａ）の想定例に対応するリモコン指示信号とアナログ側ＣＰＵとディジタル側ＣＰＵの処理内容を示した説明図である。
【図４】同図（ａ）乃至（ｃ）はチャンネル設定時において画面に表示されるポジション番号及び選局チャンネル番号を示した説明図である。
【図５】図２（ｂ）の想定例に対応するリモコン指示信号とアナログ側ＣＰＵとディジタル側ＣＰＵの処理内容を示した説明図である。
【図６】チャンネル設定でディジタル放送を受信したときの画面表示例を示した説明図である。
【符号の説明】
１    アンテナ
２    アナログチューナ
３    ディジタルチューナ
６    アナログ側ＣＰＵ
７    アナログ側メモリ
８    ディジタル側ＣＰＵ
９    ディジタル側メモリ
１８  アナログモジュール
１９  ディジタルモジュール
【図１】
0003609727.tif 000002
【図２】
0003609727.tif 000003
【図３】
0003609727.tif 000004
【図４】
0003609727.tif 000005
【図５】
0003609727.tif 000006
【図６】
0003609727.tif 000007